(57)【要約】【目的】簡便に頭髪のカールを得ることができる光による頭髪のカール形成具及び頭髪のカール形成方法の提供。【構成】椿油、ひまし油などの水溶性のオイル１に、光により頭髪に付着すると共に硬化する性質を有したポリマー２を混入撹拌させてカール剤３を形成し、該カール剤３と光を発光するカール用器具４とよりなり、更に頭髪に椿油、ひまし油などの水溶性のオイル１に光により頭髪に付着すると共に硬化する性質を有したポリマー２を分散させて形成したカール剤３を塗布する工程と、次にそのカール剤３を塗布した部分にカール用器具４を介してりカール部５を形成する工程とよりなることを特徴としている。【選択図】              図１
2004267297.tif 000002
【特許請求の範囲】
【請求項１】
椿油、ひまし油などの水溶性のオイル１に、光により頭髪に付着すると共に硬化する性質を有したポリマー２を混入撹拌させてカール剤３を形成し、該カール剤３と通電スイッチ１０を有した把持部１１の後方に通電コード１２を取付け、把持部１１の前方に通電スイッチ１０の操作によって発光する発光部１９を設けたパイプ部１３と、該パイプ部１３とで頭髪を緩く挟持する挟持片部１４を設け、更に把持部１１に挟持片部１４が開閉する挟持片開閉操作部１５と挟持片部１４を回転させる挟持片回転操作部１６と備えたカール用器具４とよりなる光による頭髪のカール形成具。
【請求項２】
頭髪に椿油、ひまし油などの水溶性のオイル１に、光により頭髪に付着すると共に硬化する性質を有したポリマー２を混入撹拌させて形成したカール剤３を塗布する工程と、次にそのカール剤３を塗布した部分に通電スイッチ１０を有した把持部１１の後方に通電コード１２を取付け、把持部１１の前方に通電スイッチ１０の操作によって発光する発光部１９を設けたパイプ部１３と、該パイプ部１３とで頭髪を緩く挟持する挟持片部１４を設け、更に把持部１１に挟持片部１４が開閉する挟持片開閉操作部１５と挟持片部１４を回転させる挟持片回転操作部１６と備えたカール用器具４を介してのカール部５を形成する工程とよりなる頭髪のカール形成方法。
【発明の詳細な説明】
【０００１】
【産業上の利用分野】
この発明は、簡便に頭髪のカールを得ることができる光による頭髪のカール形成具及び頭髪のカール形成方法に関するものである。
【０００２】
【従来の技術】
従来、頭髪にカールをつくるには、パーマネントウエーブ剤を用いて行われており、そのパーマネントウエーブ剤は還元剤としての第１剤と、酸化剤としての第２剤とを一組として存在しているものである。又頭髪を形成した毛髪の主成分のケラチンを構成しているポリペプチド鎖（主鎖）は、毛髪の縦の方向に多数が並び、隣りあった主鎖は、Ｓ−Ｓ結合とも呼ばれているシスチン結合、塩結合、水素結合などの側鎖によってつながって網目構造を作っている。この結合のため、毛髪は弾力性に富み、折り曲げても手を離せば直ちにもとの形に戻る復元力を持っている。この復元力を側鎖の切断によって弱めること、これが第１剤の毛髪への作用である。一方、曲げられた新しい位置で側鎖を再結合させることが第２剤の作用であり、この一連の反応によって、持続性のあるウエーブが形成されるものである。
【０００３】
よって、カールをつくるのに従来のコールド式においてはロッドを巻いた髪に第１剤を塗布し、時間が経った後に第２剤を塗布し、更に時間が経った後にロッドを外し、温水で洗い流し、乾燥を行うと共にウエーブを整える整髪作業を行うことは知られている。
【０００４】
又、カールをつくるのに従来の頭髪用アイロンを使用した加温式においては髪に第１剤を塗布し、時間が経った後に温水で洗って乾燥後頭髪用アイロンの滑りを良くしたり、熱を均一に伝える等のためにひまし油などの水溶性のオイルを付けて頭髪用アイロンの操作を行いカールを形成し、その後に第２剤を塗布し、更に時間が経った後に温水で洗い流し、乾燥を行うと共にウエーブを整える整髪作業を行うことは知られている。
【０００５】
【発明が解決しようとする課題】
ところが、カールをつくるのに従来のコールド式においてはロッドを巻いた髪に第１剤を塗布し、時間が経った後に第２剤を塗布し、更に時間が経った後にロッドを外し、温水で洗い流し、乾燥を行うと共にウエーブを整える整髪作業を行うこと及びカールをつくるのに従来の頭髪用アイロンを使用した加温式においては髪に第１剤を塗布し、時間が経った後に温水で洗って乾燥後頭髪用アイロンの滑りを良くしたり、熱を均一に伝える等のためにひまし油などの水溶性のオイルを付けて頭髪用アイロンの操作を行いカールを形成し、その後に第２剤を塗布し、更に時間が経った後に温水で洗い流し、乾燥を行うと共にウエーブを整える整髪作業を行うことは、操作が極めて面倒で複雑であってカールを安価に形成できず、費用がかさむ等の欠点を有するものである。
【０００６】
この発明は上記の問題点を解決したもので、極めて簡単な手段でカールを形成できるものであり、カールを長期に亘り美麗に保持できると共にカールを形成するための材料費を節減でき、更にカール形成のための操作が面倒で複雑であるようなことがなく美容室に於ける美容師の人件費を節減できてカールを安価に形成できる等の極めて好適である光による頭髪のカール形成具及び頭髪のカール形成方法を得ることを目的としたものである。
【０００７】
【課題を解決するための手段】
上記の目的を達成するためこの発明は、椿油、ひまし油などの水溶性のオイル１に、光により頭髪に付着すると共に硬化する性質を有したポリマー２を混入撹拌させてカール剤３を形成し、該カール剤３と通電スイッチ１０を有した把持部１１の後方に通電コード１２を取付け、把持部１１の前方に通電スイッチ１０の操作によって発光する発光部１９を設けたパイプ部１３と、該パイプ部１３とで頭髪を緩く挟持する挟持片部１４を設け、更に把持部１１に挟持片部１４が開閉する挟持片開閉操作部１５と挟持片部１４を回転させる挟持片回転操作部１６と備えたカール用器具４とよりなるものである。
【０００８】
又、頭髪に椿油、ひまし油などの水溶性のオイル１に、光により頭髪に付着すると共に硬化する性質を有したポリマー２を混入撹拌させて形成したカール剤３を塗布する工程と、次にそのカール剤３を塗布した部分に通電スイッチ１０を有した把持部１１の後方に通電コード１２を取付け、把持部１１の前方に通電スイッチ１０の操作によって発光する発光部１９を設けたパイプ部１３と、該パイプ部１３とで頭髪を緩く挟持する挟持片部１４を設け、更に把持部１１に挟持片部１４が開閉する挟持片開閉操作部１５と挟持片部１４を回転させる挟持片回転操作部１６と備えたカール用器具４を介してのカール部５を形成する工程とよりなるものである。
【０００９】
【実施例】
以下図面についてこの発明の光による頭髪のカール形成具の実施例を説明すると、椿油、ひまし油などの水溶性のオイル１に、光により頭髪に付着すると共に硬化する性質を有したポリマー２を混入撹拌させてカール剤３を形成し、該カール剤３と通電スイッチ１０を有した把持部１１の後方に通電コード１２を取付け、把持部１１の前方に通電スイッチ１０の操作によって発光する発光部１９を設けたパイプ部１３と、該パイプ部１３とで頭髪を緩く挟持する挟持片部１４を設け、更に把持部１１に挟持片部１４が開閉する挟持片開閉操作部１５と挟持片部１４を回転させる挟持片回転操作部１６と備えたカール用器具４とよりなるものである（図１、図２参照）。
【００１０】
又、カール剤３は椿油、ひまし油などの潤滑油である水溶性のオイル１に、メタクル酸塩などの光により頭髪に付着すると共に硬化する性質を有したポリマー２を約１０％混入撹拌させてカール剤３を形成し、該カール剤３は流出口６を備えた蓋体７を開口部８を介して着脱できる合成樹脂製の容器９に入れて保管し、容器９を逆様にして容器９の側面を把持して押せば流出口６よりカール剤３が流出ができるものであり、更に容器９内のカール剤３は蓋体７を外して開口部８より補充するものである（図１参照）。
【００１１】
又、カール用器具４は一般に市販されているカール用ヘアーアイロンと同じような形状であり、通電スイッチ１０を有した把持部１１の後方に通電コード１２を取付け、把持部１１の前方に通電スイッチ１０の操作によって紫外線とうの光線を発光する発光部１９を設けたパイプ部１３と、該パイプ部１３とで頭髪を緩く挟持する挟持片部１４を設け、更に把持部１１に挟持片部１４が開閉する挟持片開閉操作部１５と挟持片部１４を回転させる挟持片回転操作部１６と備えたものである。
【００１２】
又更にこの発明の頭髪のカール形成方法の実施例を説明すると、まず頭髪１７のカール形成する部分に椿油、ひまし油などの潤滑油である水溶性のオイル１に、メタクル酸塩などの光により頭髪に付着すると共に硬化する性質を有したポリマー２を約１０％混入撹拌させて形成したカール剤３を塗布するものである。次にカール剤３を塗布したカール形成する部分を櫛１８で揃え、更にカール用器具４の挟持片開閉操作部１５を操作して挟持片部１４を開き、パイプ部１３を櫛１８で揃えたカール形成する部分の裏側に入れると共に挟持片開閉操作部１５の操作で挟持片部１４を閉じ、カール形成する部分をパイプ部１３と挟持片部１４とで挟むものである（図３ａ参照）。次に挟持片回転操作部１６を指先で回転させると共に挟持片部１４を回転させて頭髪１７のカール形成する部分をパイプ部１３の外側に巻き込むものである（図３ｂ参照）。次にカール用器具４の通電スイッチ１０を操作して通電してパイプ部１３の紫外線とうの光線を発光する発光部１９より光を発光させると共にポリマー２が頭髪に付着硬化してカールが形成されたことを手触り及び目で見て確認するものである。次に挟持片部１４を開かずにパイプ部１３を抜き取り、カール部５を形成するものである（図３ｃ参照）。
【００１３】
又、カール部５を数か所形成するに際しては前記した操作を順次行うものでカール剤３を塗布したカール形成する部分を櫛１８で揃え、更にカール用器具４の挟持片開閉操作部１５を操作して挟持片部１４を開き、パイプ部１３を櫛１８で揃えたカール形成する部分の裏側に入れると共に挟持片開閉操作部１５の操作で挟持片部１４を閉じ、カール形成する部分をパイプ部１３と挟持片部１４とで挟むものである（図３ａ参照）。次に挟持片回転操作部１６を指先で回転させると共に挟持片部１４を回転させて頭髪１７のカール形成する部分をパイプ部１３の外側に巻き込むものである（図３ｂ参照）。次にカール用器具４の通電スイッチ１０を操作して通電してパイプ部１３の紫外線とうの光線を発光する発光部１９より光を発光させると共にポリマー２が頭髪に付着硬化してカールが形成されたことを手触り及び目で見て確認するものである。次に挟持片部１４を開かずにパイプ部１３を抜き取り、カール部５を形成する操作を行って順次カール部５を形成するするものである（図３ｃ参照）。
【００１４】
又、潤滑油である水溶性のオイル１にひまし油を使用した場合はポリオキシエチレンの活性剤を約２０％混入したことによってカール部５を形成したあとの数日間が過ぎた後の洗髪の際にひまし油を使用した潤滑油である水溶性のオイル１をきれいに流し落とすことができるものである。
【００１５】
なお、頭髪に椿油、ひまし油などの水溶性のオイル１に、光により頭髪に付着すると共に硬化する性質を有したポリマー２を混入撹拌させて形成したカール剤３を塗布する工程前に頭髪を洗つた方がきれいなカール部５を得ることができるものである。
【００１６】
【発明の作用効果】
この発明は以上のような構成であり、椿油、ひまし油などの水溶性のオイル１に微粉末の光により頭髪に付着すると共に硬化するポリマー２を混入撹拌させてカール剤３を形成し、該カール剤３と通電スイッチ１０を有した把持部１１の後方に通電コード１２を取付け、把持部１１の前方に通電スイッチ１０の操作によって発光する発光部１９を設けたパイプ部１３と、該パイプ部１３とで頭髪を緩く挟持する挟持片部１４を設け、更に把持部１１に挟持片部１４が開閉する挟持片開閉操作部１５と挟持片部１４を回転させる挟持片回転操作部１６と備えたカール用器具４とよりなるものであるので従来のコールド式でカールをつくるもののように髪を巻くロッドや第１剤及び第２剤を必要とせず、又更に従来の頭髪用アイロンを使用した加温式でカールをつくるもののように第１剤及び第２剤を必要とせず、カールの形成に通電スイッチ１０を有した把持部１１の後方に通電コード１２を取付け、把持部１１の前方に通電スイッチ１０の操作によって発光する発光部１９を設けたパイプ部１３と、該パイプ部１３とで頭髪を緩く挟持する挟持片部１４を設け、更に把持部１１に挟持片部１４が開閉する挟持片開閉操作部１５と挟持片部１４を回転させる挟持片回転操作部１６と備えたカール用器具４と椿油、ひまし油などの水溶性のオイル１に、光により頭髪に付着すると共に硬化するポリマー２を混入撹拌させて形成したカール剤３を用意するのみでロッドや第１剤及び第２剤を必要としないのでカールをつくる為の用具が少なくなり、更にカールをつくる為の材料費が少なくなって極めて経済的である。
【００１７】
又、カールを形成するための光を発光する器具であるカール用器具４は通電スイッチ１０を有した把持部１１の後方に通電コード１２を取付け、把持部１１の前方に通電スイッチ１０の操作によって発光する発光部１９を設けたパイプ部１３と、該パイプ部１３とで頭髪を緩く挟持する挟持片部１４を設け、更に把持部１１に挟持片部１４が開閉する挟持片開閉操作部１５と挟持片部１４を回転させる挟持片回転操作部１６と備えて形成したので光の発光とパイプ部１３に頭髪を巻き付けてカール部５を形成するための操作が従来より一般に市販されて扱いに慣れているカール用ヘアーアイロンと同様に簡単な取り扱いでできるものであって使用上極めて便利である。
【００１８】
又、カール剤３には椿油、ひまし油などの水溶性のオイル１を備えているのでカールの形成時にカール用器具４の操作に伴う頭髪のカールが円滑に行われ、更に水溶性のオイル１は光により頭髪に付着すると共に硬化するポリマー２が平均して斑なく頭髪に塗着されて美麗にカールを形成できるものである。
【００１９】
又、頭髪に椿油、ひまし油などの水溶性のオイル１に、光により頭髪に付着すると共に硬化する性質を有したポリマー２を混入撹拌させて形成したカール剤３を塗布する工程と、次にそのカール剤３を塗布した部分に通電スイッチ１０を有した把持部１１の後方に通電コード１２を取付け、把持部１１の前方に通電スイッチ１０の操作によって発光する発光部１９を設けたパイプ部１３と、該パイプ部１３とで頭髪を緩く挟持する挟持片部１４を設け、更に把持部１１に挟持片部１４が開閉する挟持片開閉操作部１５と挟持片部１４を回転させる挟持片回転操作部１６と備えたカール用器具４を介してのカール部５を形成する工程とよりなるものであるので従来の第１剤を塗布する操作と第２剤を塗布する操作を必要とせず、カールをつくる為の操作が簡便で複雑な手段を必要とせず、短時間で頭髪のウエーブを整える整髪作業を行うことができるもので美容室における美容師の人件費を節減できると共に美容室利用者の美容料金を安価とすることができるものである。
【００２０】
以上のように、この発明は極めて簡単な手段でカールを形成できるものであり、カールを長期に亘り美麗に保持できると共にカールを形成するための材料費を節減でき、更にカール形成のための操作が面倒で複雑であるようなことがなく美容室に於ける美容師の人件費を節減できてカールを安価に形成できるもので極めて好適である等の幾多の産業的作用効果を奏するものである。
【図面の簡単な説明】
【図１】カール剤を容器に入れた状態を示した縦断面図である。
【図２】カール用器具の概略斜視図である。
【図３】カール形成の工程図である。
【符号の説明】
１  水溶性のオイル
２  微粉末のポリマー
３  カール剤
４  カール用器具
５  カール部
６  流出口
７  蓋体
８  開口部
９  容器
１０  通電スイッチ
１１  把持部
１２  通電コード
１３  パイプ部
１４  挟持片部
１５  挟持片開閉操作部
１６  挟持片回転操作部
１７  頭髪
１８  櫛
１９  発光部
【図１】
2004267297.tif 000003
【図２】
2004267297.tif 000004
【図３】
2004267297.tif 000005